(57)【要約】【課題】片手で開蓋することができ、内容物の取り出しが容易で、繰り返し容器として使用することが可能であり、かつ、廃棄する際の容器の処理が簡単な容器を提供する。【解決手段】蓋体の全体を胴部から取り除いて開口させるフルオープン式の容器であって、胴部１１の両端に開口１１１，１１２を形成するとともに、胴部１１の少なくとも一方の開口周縁の外側に掛止部１１３，１１４を形成し、この掛止部１１３，１１４に蓋体１２，１３を掛止させて密封する構成とした。蓋体１２，１３の少なくとも一方をロイヤルキャップとするとよい。【選択図】      図１
2004307014.tif 000002
【特許請求の範囲】
【請求項１】
蓋体の全体を胴部から取り除いて開口させるフルオープン式の容器であって、
前記胴部の両端に開口を形成するとともに、前記胴部の少なくとも一方の開口周縁の外側に掛止部を形成し、この掛止部に蓋体を掛止させて密封すること、
を特徴とする両端開口容器。
【請求項２】
前記蓋体の少なくとも一方をロイヤルキャップとし、前記胴部の少なくとも一方の開口周縁に、前記ロイヤルキャップの被掛止部が掛止される掛止部を形成したことを特徴とする請求項１に記載の両端開口容器。
【請求項３】
前記開口周縁を前記胴部の外側に折り返して、環状の前記掛止部を形成したことを特徴とする請求項１又は２に記載の両端開口容器。
【請求項４】
前記蓋体と前記胴部との間に、密封用のシール部材を介在させたことを特徴とする請求項１〜３のいずれかに記載の両端開口容器。
【発明の詳細な説明】
【０００１】
【発明の属する技術分野】
本発明は、蓋体の全体を胴部から取り除いて開口させるフルオープン式の容器に関する。
【０００２】
【従来の技術】
一般に、この種のフルオープン式の容器は、タブ操作によって蓋部のほぼ全部を取り除いて容易に開口することができることから、魚肉や惣菜等の固形或いは半固形の食料等を収容するのに多く用いられている。
図６は、フルオープン式の容器の一例にかかり、（ａ）は容器の斜視図を、（ｂ）は開蓋して内容物を取り出した後の（ａ）のＳ面における部分断面を拡大して示したものである。
フルオープン式の容器３０は、有底円筒状の胴部３１と、この胴部３１の一端に周縁部分を巻締めて取り付けられたフルオープン式の蓋部３２と、この蓋部３２の一部に形成されたタブ３３とから構成されている。
【０００３】
蓋部３２には、胴部３１と同心状に切込み３２１が形成されていて、タブ３３を操作することにより、蓋部３２がこの切込み３２１のところで胴部３１から切り離されて、開蓋されるようになっている。
なお、このようなフルオープン式の開缶構造に関しては、例えば、特許文献１の「缶蓋及びその製造方法」及び特許文献２の「発泡飲料用缶およびその製造方法」等が知られている。
【０００４】
【特許文献１】
特開２００１−３１０８７号公報
【特許文献２】
特開２００１−１８０６７１号公報
【０００５】
しかし、上記特許文献等に記載された従来の容器には以下のような問題がある。
すなわち、粘着性の高いペースト状の内容物を開蓋して取り出す場合に、前記内容物が胴部の内周壁や底部に張り付いて、容易に内容物を取り出すことができないという問題がある。
また、図６（ｂ）に示すように、蓋部３２を切込み３２１のところで胴部３１から切り離して取り除くと、蓋部３２を取り除いた後の開口周縁が胴部３１の内周壁から突出する張り出し部分３１２ａを形成し、スラリー状又はペースト状の内容物Ｍを取り出す際に、この内容物Ｍが張り出し部分３１２ａの内側に残留しやすいという問題がある。さらに、張り出し部分３１２ａが邪魔になって、張り出し部分３１２ａと胴部３１の内周壁との間に残留した内容物Ｍの取り出しが困難であるという問題がある。
【０００６】
また、蓋部３２を切込み３２１のところで胴部３１から切り離して取り除くため、一旦開蓋すると、再び蓋部３２を胴部３１に取り付けるということができず容器３０の再利用ができないという問題がある。
さらに、内容物を取り出した後に容器３０を廃棄する際に、胴部３１と一体の底蓋が邪魔になって容器３０をつぶしにくく、廃棄の際に容器３０が嵩張るという問題がある。
また、図６（ｂ）に示すように、開蓋後に張り出し部分３２１の周縁がエッジ状になって、容器３０の内側に手を挿し込んで内容物を取り出すと危険であるという問題がある。
【０００７】
なお、蓋部を取り除いた後に、取扱者が容器の内部に手を挿し込んで内容物を取り出す際の安全を考慮して、張り出し部分の周縁に丸みを持たせたものが出現している（例えば、特許文献３参照）。
【０００８】
【特許文献３】
特開平９−３９９６３号公報
【０００９】
上記の特許文献３に記載の容器においては、胴部の天蓋に接近した位置で、胴部の胴壁を缶中心側に突出させて、これを押し潰して重ね合わせることにより、スコア（切込み）よりも胴部中心側に突出する突条部を胴壁の周囲に形成している。
そのため、加工工程が複雑になって、容器の製造コストが高くなるという問題がある。また、この容器によっても、上記した他の問題を解決することはできない。
【００１０】
【発明が解決しようとする課題】
本発明は、このような従来の技術が有する問題を解決するために提案されたものであり、開蓋と内容物の取り出しが容易で、繰り返し容器として使用することが可能であり、かつ、廃棄する際の容器の処理が簡単で、開蓋後に開口の周縁の安全性を高めることのできる、低コストで製造が可能な容器を提供しようとするものである。
【００１１】
【課題を解決するための手段】
上記目的を達成するため、本発明の発明者が鋭意研究を行った結果、胴部の両端に開口を形成し、この開口の少なくとも一方に開閉自在な蓋体を被冠することで、本発明の目標を達成できることに想到した。
【００１２】
すなわち、請求項１記載の両端開口容器は、蓋体の全体を胴部から取り除いて開口させるフルオープン式の容器であって、前記胴部の両端に開口を形成するとともに、前記胴部の少なくとも一方の開口周縁の外側に掛止部を形成し、この掛止部に蓋体を掛止させて密封する構成としてある。
この構成によれば、胴部の両端に開口が形成されるので、ペースト状の内容物のように、粘着性の高い内容物でも取り出しが容易になる。
また、蓋体を掛止させる掛止部を開口周縁の外側に形成しているので、胴部の内周壁から張り出し部分を無くすことができ、内容物を残留させることなく全て取り出すことが可能になる。さらに、容器の内部に手を挿し込んで内容物を取り出す際の安全を確保することができる。
また、胴部の両端が開口するので、廃棄の際に胴部を潰しやすくなり、嵩張らない状態で容器を廃棄するができる。
【００１３】
前記蓋体の少なくとも一方をロイヤルキャップとし、前記胴部の少なくとも一方の開口周縁に、前記ロイヤルキャップの被掛止部を掛止させる掛止部を形成するとよい。また、この場合、前記開口周縁を前記胴部の外側に折り返して、環状の前記掛止部を形成するとよい。
ロイヤルキャップは、頂面のほぼ中央を押圧することで、片手で簡単に開蓋することができる。また、ロイヤルキャップは、繰り返して使用することが可能であるので、容器の再利用が可能になる。
さらに、胴部の両方の開口にロイヤルキャップを被冠することで、片手で容器の両端を同時に開蓋させることが可能になる。
【００１４】
さらに、前記蓋体と前記胴部との間に、密封用のシール部材を介在させるとよい。
蓋体としてロイヤルキャップを用いた場合は、その弾発力によりかなりの密封性を期待することができるが、このような密封用のシールを介在させることで、さらに容器の密封性を高めることができる。
【００１５】
【発明の実施の形態】
以下、本発明に係る両端開口容器の好適な実施形態について、図面を参照しながら説明する。
［第一の実施形態］
まず、図１〜図４を参照しながら、本発明の第一実施形態に係る両端開口容器について説明する。
図１は、本発明の第一実施形態に係る両端開口容器の分解斜視図、図２は、両端開口容器の主要部の部分拡大断面図で、蓋体と胴部との掛止状態を示す図、図３は、この実施形態の両端開口容器の作用を説明する図で、（ａ）は閉蓋状態を示す図、（ｂ）は、開蓋した状態を示す図、図４は、この実施形態の両端開口容器の使用方法を説明する図である。
【００１６】
両端開口容器１０は、上部開口１１１と底部開口１１２が両端に形成された筒状の胴部１１と、この胴部１１の一端に被冠され、上部開口１１１を密閉する上蓋としてのロイヤルキャップ１２と、胴部１１の他端に被冠され、底部開口１１２を密閉する底蓋としてのロイヤルキャップ１３とから概略構成されている。
胴部１１は、金属製の薄板からなり、両端を溶接することによって円筒状としたものであってもよいし、金属製の薄板を絞り成形によって円筒状にしたものであってもよい。
【００１７】
胴部１１の両端には、胴部１１の上部開口１１１の周縁及び底部開口１１２の周縁の全周を外側に折り曲げて、ロイヤルキャップ１２，１３を掛止させるための環状の掛止部１１３、１１４が形成されている。
図２に示すように、この掛止部１１３，１１４の下端１１３ａは、ロイヤルキャップ１２，１３の頂面１２１，１３１の周囲に均等間隔で複数形成された被掛止部１２２，１３２を掛止させる部分として形成され、掛止部１１３，１１４の上端１１３ｂは、ロイヤルキャップ１２，１３の頂面１２１，１３１とともに胴部１１に密接して、両端開口容器１０を密封状態に保つ部分として形成されている。
【００１８】
なお、この掛止部１１３，１１４は、プレス成形等による公知の技術を利用して形成することができる。また、特に図示はしないが、両端開口容器１０の密封状態を高めるために、胴部１１の開口周縁とロイヤルキャップ１２，１３との間に環状又はシート状のシール部材を介在させてもよい。
【００１９】
この実施形態においては、上記したように、蓋体としてロイヤルキャップ１２，１３を用いている。ロイヤルキャップ１２，１３は、ワンタッチで開蓋することができ、かつ、その弾発力によって高い密封性を維持することができるという点で有利である。
ロイヤルキャップ１２，１３は、胴部１１の上部開口１１１及び底部開口１１２を密封する頂面１２１，１３１と、この頂面１２１，１３１の周囲に形成された複数の被掛止部１２２，１３２とから構成されている。
図３に示すように、ロイヤルキャップ１２，１３は、頂面１２１，１３１の中央が膨出していて、この中央に押圧力を付与することにより、凸状態（図３（ａ）に示す状態）と凹状態（図３（ｂ）に示す状態）との間で変形するようになっている。そして、この変形にともなって、被掛止部１２２，１３２の下端が径方向に開閉する。
【００２０】
すなわち、ロイヤルキャップ１２，１３の頂面１２１，１３１が凸状態になっているときには、被掛止部１２２，１３２の下端は径方向に閉じていて、胴部１１の掛止部１１３，１１４の下端と被掛止部１２２，１３２とが掛止状態にあり、頂面１２１，１３１を胴部１１の開口周縁に押し付けている。また、ロイヤルキャップ１２，１３の頂面１２１，１３１を凹状態にしたときには、被掛止部１２２，１３２の下端が径方向に開いて、胴部１１の掛止部１１３，１１４の下端と被掛止部１２２，１３２との掛止が解除され、ロイヤルキャップ１２，１３の取り外しが可能になる。
【００２１】
図４は、上記構成の両端開口容器１０のロイヤルキャップ１２，１３を開蓋する方法を説明する図である。
本発明の両端開口容器１０は片方の手Ｈのみで開蓋することができる。図示するように、親指と他の指との間で両端開口容器１０の上下を挟み、ロイヤルキャップ１２の頂面１２１とロイヤルキャップ１３の頂面１３１に、同時に押圧力を付与する。これにより、頂面１２１，１３１が凸状態から凹状態に変形するとともに、被掛止部１２２，１３２の下端が径方向に開いて、被掛止部１２２，１３２と掛止部１１３，１１４との掛止が解除される（図３参照）。そのため、ロイヤルキャップ１２，１３の開蓋が可能になり、内容物を取り出すことが可能になる。
【００２２】
この実施形態の両端開口容器１０は、胴部１１の内周壁に張り出し部分のような突起が存在せず、かつ、胴部１１の両端（上部開口１１１及び底部開口１１２）が同時に開口するので、内容物の全てを容易に取り出すことができるようになる。また、開蓋後、上部開口１１１及び底部開口１１２の開口周縁がエッジ状になることもなく、手を挿し込んで作業をする場合の安全を確保することができる。
【００２３】
さらに、ロイヤルキャップ１２，１３の頂面１２１，１３１を元の凸状態に戻して胴部１１の両端に被冠することで、両端開口容器１０を再利用することが可能になる。そのため、胴部１１とロイヤルキャップ１２，１３とをメーカーが回収して、再び両端開口容器１０として再利用することができ、資源の有効利用を図ることができる。
また、両端が開口した筒状の胴部１１は容易につぶすことができ、容器を廃棄する際に嵩張ることもない。
【００２４】
なお、ロイヤルキャップ１２，１３としては同一種類のものを用いてもよいが、凸状態から凹状態に変形させるための押圧力が異なるものを用いてもよい。このようにすることで、一方（例えばロイヤルキャップ１３）の閉蓋状態を維持したままで、他方（例えばロイヤルキャップ１２）のみを開蓋させるようにすることができる。
また、上記構成の両端開口容器１０は、固形又は半固形の内容物の収容に好適であるが、特に、スラリー状又はペースト状の内容物、例えば、ツナ、コンビーフ、ペットフード、ムース等の各種の食品の他、ワックスやグリス、塗料等の非食品の収容にも適している。
【００２５】
［第二の実施形態］
次に、図５を参照しながら、本発明の両端開口容器の第二の実施形態について説明する。
図５は、本発明の第二の実施形態に係る両端開口容器の分解斜視図である。
なお、図５では、図示及び説明の便宜のため、上下を逆にし、底蓋側を上に示している。
この第二の実施形態の両端開口容器２０は、上蓋を第一の実施形態と同様のロイヤルキャップ２２とし、底蓋２３をタブ操作によって開蓋する従来の蓋部と同様に形成している。そして、底蓋２３には、胴部２１と同心状に切込み２３１が形成されていて、タブ２４を操作することにより、底蓋２３がこの切込み２３１のところで胴部２１から切り離されて、開蓋されるようになっている。
【００２６】
この実施形態によれば、上蓋であるロイヤルキャップ２２を開蓋して内容物を取り出す。内容物の一部を両端開口容器２０の中に残して保存する場合には、再びロイヤルキャップ２２を胴部２１に被冠して閉蓋すればよい。内容物の全てを取り出す場合には、タブ２４を操作して底蓋２３も開蓋し、胴部２１の両端を開口させる。
この実施形態の両端開口容器２０においても、第一の実施形態の両端開口容器１０と同様に、内容物の全てを簡単に取り出すことができ、両端開口容器２０の再利用を行うことができて、廃棄の際にも嵩張らないという有利な効果が得られる。
【００２７】
以上、本発明の両端開口容器について、好ましい実施形態を示して説明したが、本発明に係る両端開口容器は、上述した実施形態にのみ限定されるものではなく、本発明の範囲で種々の変更実施が可能であることは言うまでもない。
例えば、上記の第二の実施形態の説明では、タブを操作して底蓋２３を開蓋するようにしているが、底蓋２３の種類はこれに限られるものではなく、缶切り等の器具を用いて開蓋させるタイプの底蓋であってもよい。
【００２８】
また、蓋体として特にロイヤルキャップを例に挙げて説明したが、胴部１１，２１に形成した掛止部１１３，１１４，２１３に係脱自在に掛止させることができる被掛止部を有するものであれば、ロイヤルキャップに限らず他の蓋体を用いてもよい。
また、掛止部１１３，１１４，２１３は、胴部１１，２１の開口周縁の外側の全周にわたって環状に形成するものとして説明したが、必ずしも環状である必要はなく、例えば均等間隔で複数箇所（好ましくは三カ所以上）に部分的に掛止部を形成するものとしてもよい。
【００２９】
【発明の効果】
以上説明したように、本発明の両端開口容器によれば、片手で開蓋後に、内容物の取り出しが容易になり、かつ、内容物を残留なく完全に取り出すことができる。
また、蓋体の開閉を繰り返し行うことができるので、メーカーが回収して再び両端開口容器として利用するなど、容器の再利用が可能になる。
さらに、廃棄する際に、底蓋が邪魔になることがなく、容器をつぶしやすくなって、廃棄の際に容器が嵩張ることがない。
また、開蓋後、開口の周縁がエッジ状になることがなく、安全性を確保することができる。
【図面の簡単な説明】
【図１】本発明の第一の実施形態に係る両端開口容器の分解斜視図である。
【図２】両端開口容器の主要部の部分拡大断面図で、蓋体と胴部との掛止状態を示す図である。
【図３】この実施形態の両端開口容器の作用を説明する図で、（ａ）は閉蓋状態を示す図、（ｂ）は、開蓋した状態を示す図である。
【図４】この実施形態の両端開口容器の使用方法を説明する図である。
【図５】本発明の第二の実施形態に係る両端開口容器の分解斜視図である。
【図６】本発明の従来例にかかるフルオープン式の容器の一例にかかり、（ａ）は容器の斜視図を、（ｂ）は開蓋して内容物を取り出した後の（ａ）のＳ面における部分断面を拡大して示したものである。
【符号の説明】
１０  両端開口容器
１１  胴部
１１１  上部開口
１１２  底部開口
１１３  掛止部
１１４  掛止部
１２  ロイヤルキャップ（蓋体）
１２１  頂面
１２２  被掛止部
１３  ロイヤルキャップ（蓋体）
１３１  頂面
１３２  被掛止部
２０  両端開口容器
２２  ロイヤルキャップ（蓋体）
２３  底蓋
２３１  切込み
２４  タブ
【図１】
2004307014.tif 000003
【図２】
2004307014.tif 000004
【図３】
2004307014.tif 000005
【図４】
2004307014.tif 000006
【図５】
2004307014.tif 000007
【図６】
2004307014.tif 000008